(57)【要約】【課題】本発明は、優れる接地効果を有するシールドケース及びこのシールドケースを有する電子装置を提供することを目的とする。【解決手段】本発明に係るシールドケースは、回路基板を覆って、前記回路基板上の電子部品に対して電磁シールドし、前記シールドケースには、弾性片が設けられ、前記弾性片には、前記回路基板に向かって突出する突起が設けられ、前記シールドケースを前記回路基板に固定する際、前記突起は前記回路基板に当接されて前記弾性片を弾性変形させ、前記弾性片は変形方向と相反する方向に付勢され、前記突起を前記回路基板に緊密に接触させて、前記シールドケースを接地させる。【選択図】図２
2011228697.tif 000002
【特許請求の範囲】
【請求項１】
回路基板を覆うとともに、前記回路基板に設けられる電子部品に対して電磁シールドを施すシールドケースであって、
前記シールドケースには、弾性片が設けられ、前記弾性片には、前記回路基板に向かって突出する突起が設けられ、
前記シールドケースを前記回路基板に固定する際、前記突起を前記回路基板に当接させて前記弾性片を弾性変形させ、前記弾性片が変形方向と相反する方向に付勢されて、前記突起を前記回路基板に緊密に接触させて、前記シールドケースを接地させることを特徴とするシールドケース。
【請求項２】
前記シールドケースは、頂板と、前記頂板から延在する側壁と、前記側壁から延在する固定フィンと、を備え、前記固定フィンは前記回路基板に当接し、前記弾性片は前記固定フィンに設けられることを特徴とする請求項１に記載のシールドケース。
【請求項３】
前記突起は、前記弾性片の自由端に形成されることを特徴とする請求項２に記載のシールドケース。
【請求項４】
回路基板と、前記回路基板に設けられる電子部品と、前記電子部品を覆って前記電子部品に対して電磁シールドを施すシールドケースと、を備える電子装置において、
前記シールドケースには、弾性片が設けられ、前記弾性片には、前記回路基板に向かって突出する突起が設けられ、
前記シールドケースを前記回路基板に固定する際、前記突起を前記回路基板に当接して前記弾性片を弾性変形させ、前記弾性片が変形方向と相反する方向に付勢されて、前記突起を前記回路基板に緊密に接触させて、前記シールドケースを接地させることを特徴とする電子装置。
【請求項５】
前記回路基板には接地領域が設けられ、前記突起は、前記接地領域に当接して前記接地領域に電気接続し、これにより前記シールドケースは接地されることを特徴とする請求項４に記載の電子装置。
【発明の詳細な説明】
【技術分野】
【０００１】
本発明は、電磁シールド領域に関し、特にシールドケース及びこのシールドケースを有する電子装置に関するものである。
【背景技術】
【０００２】
電子装置は、電子部品を搭載し、且つ電子回路が設けられた回路基板を備える。一般に、電子回路から発生する種々の電磁波が前記電子装置内の他の電子回路や電子部品に影響を及ばさないように、電磁波を遮断可能なシールドケースを用いて前記回路基板の電子部品を覆い、且つ前記シールドケースを前記回路基板に電気接続させて接地する。しかし加工誤差のため、前記回路基板は十分に平坦ではなく、従って前記シールドケースを前記回路基板に確実に電気接続できない場合が生じる。このことが前記シールドケースの接地に影響し、さらに前記シールドケースの電磁シールド効果に影響する。
【発明の概要】
【発明が解決しようとする課題】
【０００３】
以上の問題点に鑑みて、本発明は、確実な接地効果を有するシールドケース及びこのシールドケースを有する電子装置を提供することを目的とする。
【課題を解決するための手段】
【０００４】
本発明に係るシールドケースは、回路基板を覆って、前記回路基板上の電子部品に対して電磁シールドを施す。前記シールドケースには、弾性片が設けられ、前記弾性片には、前記回路基板に向かって突出する突起が設けられる。前記シールドケースを前記回路基板に固定する際、前記突起は前記回路基板に当接されて前記弾性片を弾性変形させる。前記弾性片は変形方向と相反する方向に付勢され、前記突起を前記回路基板に緊密に接触させて、前記シールドケースを接地させる。
【０００５】
本発明に係る電子装置は、回路基板と、前記回路基板に設けられる電子部品と、前記電子部品を覆って前記電子部品に対して電磁シールドを施すシールドケースと、を備える。前記シールドケースには、弾性片が設けられ、前記弾性片には、前記回路基板に向かって突出する突起が設けられる。前記シールドケースを前記回路基板に固定する際、前記突起は前記回路基板に当接されて前記弾性片を弾性変形させる。前記弾性片は変形方向と相反する方向に付勢され、前記突起を前記回路基板に緊密に接触させて、前記シールドケースを接地させる。
【発明の効果】
【０００６】
従来の技術に比べて、本発明に係るシールドケース及びこのシールドケースを有する電子装置において、前記シールドケースの弾性片には、回路基板に向かって突出する突起が設けられるので、前記回路基板が十分に平坦ではなくても、前記突起は前記回路基板に確実に当接され、前記シールドケースは接地され、前記シールドケースの電磁シールド効果を確保する。
【図面の簡単な説明】
【０００７】
【図１】本発明の実施形態に係る電子装置の部分の枠体を除いた組立図である。
【図２】図1に示す電子装置の枠体を除いた後の分解図である。
【図３】図２に示す電子装置の組立図である。
【図４】図３に示す電子装置のＩＶ部分の拡大図である。
【発明を実施するための形態】
【０００８】
以下、図面に基づいて、本発明に係るシールドケース及びこのシールドケースを有する電子装置について詳細に説明する。
【０００９】
図１は、本発明の実施形態に係る電子装置１００の部分の枠体を除いた組立図である。前記電子装置１００は、枠体１０と、前記枠体１０内に収容される回路基板２０と、シールドケース３０と、を備える。前記シールドケース３０は、前記回路基板を覆って、前記回路基板２０に設けられた電子部品に対して電磁シールドを施す。本実施形態において、前記電子装置１００は携帯電話である。他の実施形態において、前記電子装置は、電子ゲーム機、コンピュータ、又はデジタルカメラとすることもできる。
【００１０】
図２を併せて参照すると、前記回路基板２０は長方形の平板である。前記回路基板２０の長手方向の中間位置には、複数の電子部品２０１が配列されており、前記回路基板２０の長手方向の両側には、複数の第一ネジ孔２０５が互いに離間して設けられ、隣り合う２つの第一ネジ孔２０５の間には接地領域２０３がそれぞれ設けられる。
【００１１】
前記シールドケース３０は、導電性を有する方形の殻体であり、頂板３０１と、前記頂板３０１の外周縁から下に向かって延在し且つ前記頂板３０１に直交する側壁３０２と、前記側壁３０２から外に向かって延在し且つ前記側壁３０２に直交する固定フィン３０３と、を備える。前記固定フィン３０３は、前記頂板３０１に平行し、且つ前記回路基板２０に当接する。前記固定フィン３０３には、複数の切欠部３０８が設けられて、複数の弾性片３０４が形成される。前記弾性片３０４の自由端には、前記回路基板２０に向かって突出する突起３０５が設けられる。本実施例において、前記突起３０５は、前記弾性片３０４の自由端に対してプレス加工を行い、前記弾性片３０４の自由端を前記回路基板２０に向かって突出させることにより形成される。他の実施形態において、前記突起３０５は、前記弾性片３０４の自由端に貼り合わせることもできる。前記固定フィン３０３には、前記回路基板２０の第一ネジ孔２０５に対応する複数の第二ネジ孔３０６が設けられる。
【００１２】
図３及び図４を併せて参照すると、前記シールドケース３０によって前記電子部品２０１に対して電磁シールドを施すために、前記固定フィン３０３を前記回路基板２０に当接させると、複数の前記弾性片３０４は前記回路基板２０の複数の接地領域２０３に対応し、各々の前記第二ネジ孔３０６は各々の前記第一ネジ孔２０５にそれぞれ対応する。複数のネジ４０を前記第二ネジ孔３０６及び前記第一ネジ孔２０５にそれぞれ螺合することにより、前記シールドケース３０は前記回路基板２０に固定される。この際、前記突起３０５が前記接地領域２０３に当接し、且つ電気接続されることによって、前記シールドケース３０は接地される。さらに前記ネジ４０を螺合することにより、前記突起３０５は前記回路基板２０に当接され、前記弾性片３０４を弾性変形させ、前記弾性片３０４は変形方向と相反する方向に付勢されて、前記突起３０５を前記回路基板２０に確実に当接させる。その結果前記突起３０５は前記接地領域２０に緊密に接触して、電磁シールド効果を確保する。
【００１３】
本実施形態において、前記電子装置１００は複数の電子部品２０１と複数の突起３０５とを備えるが、他の実施形態において、前記電子部品２０１及び前記突起３０５の数量は、１つまたは２つとすることもできる。前記シールドケース３０は、係合方式のような他の方式によって前記回路基板２０に固定することもできる。
【００１４】
以上、本発明の好適な実施例について詳細に説明したが、本発明は前記実施例に限定されるものではなく、本発明の範囲内において種々の変形又は修正が可能であり、該変形、又は修正もまた、本発明の特許請求の範囲内に含まれるものであることは、いうまでもない。
【符号の説明】
【００１５】
１００      電子装置
１０        枠体
２０        回路基板
２０１      電子部品
２０３      接地領域
２０５      第一ネジ孔
３０        シールドケース
３０１      頂板
３０２      側壁
３０３      固定フィン
３０５      突起
３０６      第二ネジ孔
３０８      切欠部
４０        ネジ
【図１】
2011228697.tif 000003
【図２】
2011228697.tif 000004
【図３】
2011228697.tif 000005
【図４】
2011228697.tif 000006